(57)【要約】【課題】ベッドの使用態様、ベッド使用者の身長、ベッドフレームに装着されるマットレスの大きさ等に応じて長さや幅を自在に調節することができるベッドフレームを提供する。【解決手段】ヘッド支持台１と、フット支持台１１と、前記部材間に配置された中間支持台２１と、外端をヘッド支持台１のスリット３に前後方向に移動可能に嵌入されると共に内端を中間支持台２１に支持された前半ボトムプレート３１と、外端をフット支持台１１のスリット１３に前後方向に移動可能に嵌入されると共に内端を中間支持台２１に支持された後半ボトムプレート４１と、前半ボトムプレート３１の各端をヘッド支持台１及び中間支持台２１に各々固定し、後半ボトムプレート４１の各端をフット支持台１１及び中間支持台２１に各々固定する各ボトムプレート固定手段（ボルト５１〜５３、ネジ孔２３、３３、４３）とから構成される。【選択図】      図１
2004298530.tif 000002
【特許請求の範囲】
【請求項１】
前方に自立可能に載置され、所要の高さ位置に幅方向のスリットが穿設されると共に内側にスリット底面と実質的に同じ高さの支持面を有するヘッド支持台と、後方にヘッド支持台と対向して自立可能に載置され、所要の高さ位置に幅方向のスリットが穿設されると共に内側にスリット底面と実質的に同じ高さの支持面を有するフット支持台と、ヘッド支持台とフット支持台の中間に自立可能に載置され、所要の高さ位置に支持面を有する中間支持台と、長さ方向外端をヘッド支持台のスリットに前後方向に移動可能に嵌入されると共にヘッド支持台のスリット底面及び支持面に支持され、長さ方向内端を中間支持台の支持面に支持された前半ボトムプレートと、長さ方向外端をフット支持台のスリットに前後方向に移動可能に嵌入されると共にフット支持台のスリット底面及び支持面に支持され、長さ方向内端を中間支持台の支持面に支持された後半ボトムプレートと、前半ボトムプレートの長さ方向外端をヘッド支持台にそのスリットへの所要嵌入位置で着脱可能に固定すると共に前半ボトムプレートの長さ方向内端を中間支持台に着脱可能に固定する各前半ボトムプレート固定手段と、後半ボトムプレートの長さ方向外端をフット支持台にそのスリットへの所要嵌入位置で着脱可能に固定すると共に後半ボトムプレートの長さ方向内端を中間支持台に着脱可能に固定する各後半ボトムプレート固定手段とからなるベッドフレーム。
【請求項２】
前半ボトムプレート及び後半ボトムプレートの各幅方向両端縁に凸条体が上方に突設されると共に、ヘッド支持台及びフット支持台の各スリット両端に前記の各凸条体の嵌入可能な拡張孔部が延設された、請求項１に記載のベッドフレーム。
【請求項３】
中間支持台の幅方向両端縁にストッパが上方に突設された、請求項１に記載のベッドフレーム。
【請求項４】
請求項１に記載のヘッド支持台、フット支持台及び中間支持台並びに前半ボトムプレート及び後半ボトムプレート並びに各前半ボトムプレート固定手段及び各後半ボトムプレート固定手段からなる一対のベッドフレーム部材が幅方向に所要間隔をおいて並設されてなるベッドフレーム。
【請求項５】
並設された一対のベッドフレーム部材の間隙に補助ボトム部材が配置された、請求項４に記載のベッドフレーム。
【請求項６】
各ベッドフレーム部材における前半ボトムプレート及び後半ボトムプレートの各幅方向外端縁に凸条体が上方に突設されると共に、各ベッドフレーム部材におけるヘッド支持台及びフット支持台の各スリット外端に前記の各凸条体の嵌入可能な拡張孔部が延設された、請求項４に記載のベッドフレーム。
【請求項７】
各ベッドフレーム部材における中間支持台の幅方向外端縁にストッパが上方に突設された、請求項４に記載のベッドフレーム。
【発明の詳細な説明】
【０００１】
【発明の属する技術分野】
本発明は、長さ又は長さ及び幅の調節が可能なベッドを得るためのベッドフレームに関する。
【０００２】
【従来の技術】
従来周知のベッドフレームでは、ベッドの使用態様、ベッド使用者の身長、ベッドフレームに装着されるマットレスの大きさ等に応じて長さや幅を自在に調節することができなかった。
【０００３】
【発明が解決しようとする課題】
本発明の課題は、ベッドの使用態様、ベッド使用者の身長、ベッドフレームに装着されるマットレスの大きさ等に応じて長さや幅を自在に調節することができるベッドフレームを提供することにある。
【０００４】
【課題を解決するための手段】
本発明に係るベッドフレームは、前方に自立可能に載置され、所要の高さ位置に幅方向のスリットが穿設されると共に内側にスリット底面と実質的に同じ高さの支持面を有するヘッド支持台と、後方にヘッド支持台と対向して自立可能に載置され、所要の高さ位置に幅方向のスリットが穿設されると共に内側にスリット底面と実質的に同じ高さの支持面を有するフット支持台と、ヘッド支持台とフット支持台の中間に自立可能に載置され、所要の高さ位置に支持面を有する中間支持台と、長さ方向外端をヘッド支持台のスリットに前後方向に移動可能に嵌入されると共にヘッド支持台のスリット底面及び支持面に支持され、長さ方向内端を中間支持台の支持面に支持された前半ボトムプレートと、長さ方向外端をフット支持台のスリットに前後方向に移動可能に嵌入されると共にフット支持台のスリット底面及び支持面に支持され、長さ方向内端を中間支持台の支持面に支持された後半ボトムプレートと、前半ボトムプレートの長さ方向外端をヘッド支持台にそのスリットへの所要嵌入位置で着脱可能に固定すると共に前半ボトムプレートの長さ方向内端を中間支持台に着脱可能に固定する各前半ボトムプレート固定手段と、後半ボトムプレートの長さ方向外端をフット支持台にそのスリットへの所要嵌入位置で着脱可能に固定すると共に後半ボトムプレートの長さ方向内端を中間支持台に着脱可能に固定する各後半ボトムプレート固定手段とからなるものである。
【０００５】
前記構成において、前半ボトムプレートの長さ方向外端は、ヘッド支持台のスリットに嵌入されると共に該スリットで上下及び幅方向等への変位を制限されつつスリット底面及び支持面に支持され、所要の嵌入位置において前半ボトムプレート固定手段によりヘッド支持台に固定され、前半ボトムプレートの長さ方向内端は、中間支持台の支持面に支持されると共に他の前半ボトムプレート固定手段により中間支持台に固定される。同様にして、後半ボトムプレートの長さ方向外端は、フット支持台のスリットに嵌入されると共に該スリットで上下及び幅方向等への変位を制限されつつスリット底面及び支持面に支持され、所要の嵌入位置においてフット支持台に後半ボトムプレート固定手段により固定され、後半ボトムプレートの長さ方向内端は、中間支持台の支持面に支持されると共に他の後半ボトムプレート固定手段により中間支持台に固定される。
【０００６】
ベッドの形成に際しては、前記ベッドフレームにおける前半ボトムプレート及び後半ボトムプレートからなる複合一体化されたボトムプレート上にマットレス等が載置されることになる。
【０００７】
ヘッド支持台、フット支持台及び中間支持台は、何れもそれ自体で倒れることなく自立可能とされ、それによって、前記の各部材への前半ボトムプレート及び後半ボトムプレートの組み付け作業が容易になる。また、ヘッド支持台、フット支持台及び中間支持台に支持されるボトムプレートは、前半ボトムプレート及び後半ボトムプレートに二分され、それによって、ベッドフレームの組み立てが容易になると共にボトムプレートの収納、運搬等に至便となり、また後述するように、前記ベッドフレームの構成部材を用いてソファーフレーム等を構成することも可能になる。
【０００８】
前半ボトムプレートの長さ方向外端は、前記のように、ヘッド支持台のスリットに嵌入されつつそのスリット底面に支持されるのみならず支持面にも支持され、それによって、前半ボトムプレートの長さ方向外端が安定且つ確実にヘッド支持台に支持され、仮にスリット底面での支持が不完全の場合でも支持面において支持が補強されることになる。同様にして、後半ボトムプレートの長さ方向外端は、前記のように、フット支持台のスリットに嵌入されつつそのスリット底面に支持されるのみならず支持面にも支持され、それによって、後半ボトムプレートの長さ方向外端が安定且つ確実にフット支持台に支持され、仮にスリット底面での支持が不完全の場合でも支持面において支持が補強されることになる。前半ボトムプレートとヘッド支持台のスリット及び／又は支持面との各接触部、及び後半ボトムプレートとフット支持台のスリット及び／又は支持面との各接触部には、前記の各嵌入作業を容易にするために、両部材間の滑動を促進する手段、例えば滑り材やローラ等が介設されてもよい。
【０００９】
前記の組み立て状態において、前半ボトムプレートの長さ方向内端と後半ボトムプレートの長さ方向内端は、中間支持台上において該中間支持台を介して接続されると共に一体のボトムプレート状に複合一体化されることになる。前半ボトムプレートの長さ方向内端と後半ボトムプレートの長さ方向内端は、中間支持台上における支持をより確実にするために、中間支持台上において互いに嵌合されていてもよく、また中間支持台と互いに嵌合されていてもよい。また、前半ボトムプレートと後半ボトムプレートは、相互に兼用し得る構造としてもよい。
【００１０】
前記構成において、ヘッド支持台のスリットへの前半ボトムプレートの嵌入位置及び／又はフット支持台のスリットへの後半ボトムプレートの嵌入位置を変更することにより、ヘッド支持台とフット支持台の間隔が変更され、それによってベッドフレームの長さが調節されることになる。長さ調節後のベッドフレームでは、ヘッド支持台、中間支持台及びフット支持台は、各前半ボトムプレート固定部材及び各後半ボトムプレート固定手段を用いた前半ボトムプレート及び後半ボトムプレートとの固定により互いの間隔を保持されるが、必要に応じてさらに、ヘッド支持台、中間支持台及びフット支持台が適当な別部材により着脱自在に架橋されてもよい。
【００１１】
前半ボトムプレートと後半ボトムプレートは、前記のようにヘッド支持台、中間支持台及びフット支持台に支持されて、通常、略同じ高さで水平に保持されればよいが、必要に応じて前半ボトムプレート及び／又は後半ボトムプレートに若干の傾斜が付されてもよい。
【００１２】
前半ボトムプレート及び後半ボトムプレートの高さ及び勾配を調整し得るように、ヘッド支持台及び／又はフット支持台の各スリットが各々複数にわたって高さを変えて設けられてもよく、またヘッド支持台及びフット支持台の各底部に公知のアジャスタを設ける等して、各スリットの高さを実質的に調節できるように構成されてもよい。また、同様の目的で、中間支持台の底部に公知のアジャスタを設け、或いは中間支持台における前半ボトムプレート及び後半ボトムプレートの支持面に高さ調整板を積層する等して、中間支持台上における前半ボトムプレート及び後半ボトムプレートの各長さ方向内端の支持高さを調節できるように構成されてもよい。
【００１３】
また、前半ボトムプレート及び後半ボトムプレートは、それらの内側において弾力性を有していてもよく、また前半ボトムプレート及び後半ボトムプレートの各長さ方向内端が中間支持台の支持面により弾力下に支持されていてもよい。
【００１４】
前記ベッドフレームでは、公知のベッド形態のように、ヘッド支持台にヘッドボードが設けられると共にフット支持台にフットボードが設けられてもよい。
【００１５】
また、前半ボトムプレート及び後半ボトムプレートの各幅方向両端縁に凸条体が上方に突設されると共に、ヘッド支持台及びフット支持台の各スリット両端部に前記の各凸条体の嵌入可能な拡張孔部が延設されてもよく、その場合に、複合一体化された前半ボトムプレート及び後半ボトムプレート上に載置されたマットレス等が、両側の凸条体で挟まれて幅方向外側への変位を制限され、より安定に装着される。
【００１６】
さらに、中間支持台の幅方向両端縁にストッパが上方に突設されてもよく、その場合に、前半ボトムプレート及び後半ボトムプレートの各長さ方向内端が、中間支持台上において前記ストッパにより幅方向外側への変位を制限され、それによって、中間支持台への前半ボトムプレート及び後半ボトムプレートの組み付けが作業性よく、且つ確実に行われることになる。
【００１７】
前記ベッドフレームでは、前記構成部材からヘッド支持台及びフット支持台並びに前半ボトムプレート及び後半ボトムプレートから選択された一方のボトムプレートを使用し、前記ボトムプレートの長さ方向一端をヘッド支持台のスリットに嵌入すると共に所要の嵌入位置においてボトムプレート固定手段により固定し、他端を既述のように中間支持台の支持面で支持させる代りにフット支持台のスリットに嵌入すると共に所要の嵌入位置において他のボトムプレート固定手段により固定することにより、長さ調節の可能なソファーフレームとすることができる。
【００１８】
本発明に係る別態様のベッドフレームは、既述のようなヘッド支持台、フット支持台及び中間支持台並びに前半ボトムプレート及び後半ボトムプレート並びに各前半ボトムプレート固定手段及び各後半ボトムプレート固定手段からなる一対のベッドフレーム部材が幅方向に所要間隔をおいて並設されたものである。
【００１９】
前記ベッドフレームでは、一対のベッドフレーム部材の設置間隔を幅方向に調節することにより、長さのみならず、幅も自在に調節することができる。
【００２０】
ベッドの形成に際しては、前記ベッドフレームにおける一対の前半ボトムプレート及び一対の後半ボトムプレートからなる、間隙を介して複合一体化されたボトムプレート上にマットレス等が載置されることになる。前記ベッドの場合、一対のヘッド支持台や一対のフット支持台の各間隙に、それらの幅に応じたサイドテーブルや照明具等を設置することができ、またそれらの間隙をベッド上への通路とすることも可能になる。
【００２１】
並設された一対のベッドフレーム部材の間隙が比較的狭い場合や使用するマットレス等の厚みや強度が大きい場合等には、一対の前半ボトムプレート及び一対の後半ボトムプレートからなる複合一体化されたボトムプレート上に前記間隙を介してマットレス等を載置し、ベッドを形成することに実質的な支障はない。しかしながら、並設された一対のベッドフレーム部材の間隙が比較的広い場合や使用するマットレス等の厚みや強度が小さい場合等には、必要に応じて、マットレス等を前記間隙部分でもより安定に支持させるために、並設された一対のベッドフレーム部材の間隙に補助ボトム部材が配置されてもよい。前記補助ボトム部材は、例えば、上部に支持面を有するブロック、台、箱或いは椅子状のものであってもよく、また一対のベッドフレーム部材間に一時的に架橋されたプレートやフレーム状のものであってもよい。
【００２２】
並設された一対のベッドフレーム部材の間隙を所要の間隔に保持するために、例えば、各一対のヘッド支持台、中間支持台及びフット支持台における少なくとも一対の部材間、好ましくは一対のヘッド支持台及び一対のフット支持台の各間隙が適当な間隔保持部材により着脱自在に架橋されてもよい。
【００２３】
前記ベッドフレームでも、既述と同様に、各ベッドフレーム部材における前半ボトムプレート及び後半ボトムプレートの各幅方向外端縁に凸条体が上方に突設されると共に、各ベッドフレーム部材におけるヘッド支持台及びフット支持台の各スリット外端に前記の各凸条体の嵌入可能な拡張孔部が延設されてもよく、その場合に、間隙を介して複合一体化された各一対の前半ボトムプレート及び後半ボトムプレート上に載置されたマットレス等が、両側の凸条体で挟まれて幅方向外側への変位を制限され、より安定に装着される。
【００２４】
さらに、各ベッドフレーム部材における中間支持台の幅方向外端縁にストッパが上方に突設されてもよく、その場合に、各ベッドフレーム部材において、前半ボトムプレートの長さ方向内端及び後半ボトムプレートの長さ方向内端が、中間支持台上において前記ストッパにより幅方向外側への変位を制限され、それによって、中間支持台への前半ボトムプレート及び後半ボトムプレートの組み付けが作業性よく、且つ確実に行われることになる。
【００２５】
前記形態のベッドフレームでも、前記構成部材から一対のヘッド支持台及び一対のフット支持台並びに前半ボトムプレート及び後半ボトムプレートから選択された一対のボトムプレートを使用し、必要に応じて前記の各一対の部材間に補助ボトム部材等を配置することにより、前記と同様にしてソファーフレームとすることも可能であり、この場合は長さのみならず幅の調節も容易に可能になる。
【００２６】
【発明の実施の形態】
以下、本発明を実施例に基づいて具体的に説明する。
図１は本発明の実施例に係るベッドフレームの斜視図、図２は図１に示すベッドフレームの中央縦断面図、図３（Ａ）、（Ｂ）及び（Ｃ）は図１に示すベッドフレームの各々ヘッド支持台、中間支持台及びフット支持台を通る横断面図である。
【００２７】
同図に示すベッドフレームＢＦにおいて、前方に自立可能に載置されたヘッド支持台１は、上部にヘッドボード２を有し、所要の高さ位置に幅方向のスリット３が穿設されると共に内側にスリット３底面と同一平面上の支持面４を有し、両側面にはスリット３に連通する横孔５が穿設され、また前記スリット３の両端には若干上方に拡張された拡張孔部６が延設されている。
【００２８】
後方にヘッド支持台１と対向して自立可能に載置されたフット支持台１１は、上部にフットボード１２を有し、所要の高さ位置に幅方向のスリット１３が穿設されると共に内側にスリット１３底面と同一平面上の支持面１４を有し、両側面にはスリット１３に連通する横孔１５が穿設され、また前記スリット１３の両端には若干上方に拡張された拡張孔部１６が延設されている。
【００２９】
ヘッド支持台１とフット支持台１１の中間に自立可能に載置された中間支持台２１は、所要の高さ位置に支持面２２を有し、該支持面２２には幅方向二列にわたって複数のネジ孔２３が穿設され、幅方向両端縁にストッパ２４が突設されている。
【００３０】
前半ボトムプレート３１は、幅方向両端縁に沿って突設された凸条体３２を有し、両側面にはヘッド支持台１側面の横孔５に対応し得るネジ孔３３が所要の間隔で複数穿設され、長さ方向内端縁に沿って中間支持台２１の支持面２２のネジ孔２３に対応し得る縦孔３４が複数穿設されされている。同様に、後半ボトムプレート４１も、幅方向両端縁に沿って突設された凸条体４２を有し、両側面にはフット支持台１１側面の横孔１５に対応し得るネジ孔４３が所要の間隔で複数穿設され、長さ方向内端縁に沿って中間支持台２１の支持面２２のネジ孔２３に対応し得る縦孔４４が複数穿設されされている。
【００３１】
前記構成部材によるベッドフレームＢＦの組み立てに際して、前半ボトムプレート３１の長さ方向外端が、ヘッド支持台１のスリット３に所要長さにわたって嵌入されると共に、ヘッド支持台１の両側面の横孔５を介して前半ボトムプレート３１側面のネジ孔３３に螺合されたボルト５１によりヘッド支持台１に締め付け固定されている。スリット３への前半ボトムプレート３１の前記嵌入に際しては、前半ボトムプレート３１の幅方向両端縁の凸条体３２がスリット３両端の拡張孔部６と嵌合されることになる。
【００３２】
前半ボトムプレート３１の長さ方向内端は、中間支持台２１の支持面２２に幅方向両端縁のストッパ２４に挟まれて支持されると共に、前半ボトムプレート３１内端縁の縦孔３４を介して中間支持台２１の支持面２２のネジ孔２３に螺合されたボルト５２により中間支持台２１に締め付け固定されている。
【００３３】
同様にして、後半ボトムプレート４１の長さ方向外端が、フット支持台１１のスリット１３に所要長さにわたって嵌入されると共に、フット支持台１１の両側面の横孔１５を介して後半ボトムプレート４１側面のネジ孔４３に螺合されたボルト５３によりフット支持台１１に締め付け固定されている。スリット１３への後半ボトムプレート４１の前記嵌入に際しては、後半ボトムプレート４１の幅方向両端縁の凸条体４２がスリット１３両端の拡張孔部１６と嵌合されることになる。
【００３４】
後半ボトムプレート４１の長さ方向内端は、中間支持台２１の支持面２２に幅方向両端縁のストッパ２４に挟まれて支持されると共に、後半ボトムプレート４１内端縁の縦孔４４を介して中間支持台２１の支持面２２のネジ孔２３に螺合されたボルト５２により中間支持台２１に締め付け固定されている。
【００３５】
前記のように組み立てられたベッドフレームＢＦをベッドに供するに際して、前半ボトムプレート３１及び後半ボトムプレート４１の上面に、各々の幅方向両端縁に突設された凸条体３２、４２の間及びヘッドボード２とフットボード１２の間において所要のマットレスＭが装着されることになる。
【００３６】
図４（Ａ）及び（Ｂ）は何れも本発明の別の実施例に係るベッドフレームにおける中間支持台付近の中央縦断面図である。
同図（Ａ）に示す実施例では、前半ボトムプレート３１の長さ方向内端と後半ボトムプレート４１の長さ方向内端が、中間支持台２１上において厚さ方向に階段状に互いに嵌合されている。同図（Ｂ）に示す実施例では、前半ボトムプレート３１の長さ方向内端と後半ボトムプレート４１の長さ方向内端が、中間支持台２１と凹凸状に互いに嵌合されている。なお、前記実施例における前記以外の構成は、基本的に図１〜３に示す既述の実施例の構成と同様である。
【００３７】
また、図５は図１に示すベッドフレームの構成部材を用いて構成されたソファーフレームの斜視図である。
同図に示すソファーフレームＳＦにおいて、図１〜３に示す既述の実施例と同様に、前半ボトムプレート３１の長さ方向外端が、ヘッド支持台１のスリット３に所要長さにわたって嵌入されると共に、ヘッド支持台１の両側面の横孔５を介して前半ボトムプレート３１側面のネジ孔３３に螺合されたボルト５１によりヘッド支持台１に締め付け固定されている。
【００３８】
前半ボトムプレート３１の長さ方向内端は、図１〜３に示す既述の実施例と異なり、フット支持台１１のスリット１３に所要長さにわたって嵌入されると共に、フット支持台１１の両側面の横孔１５を介して前半ボトムプレート３１の長さ方向内端に近い側面のネジ孔３３に螺合されたボルト５４によりフット支持台１１に締め付け固定されている。
【００３９】
前記のように組み立てられたソファーフレームＳＦをソファーに供するに際して、前半ボトムプレート３１の上に、所要のマットレスやクッション等（図示を省略する）が装着されることになる。
【００４０】
図６は本発明のさらに別の実施例に係るベッドフレームの斜視図である。
同図において、図１に示す実施例に係るものと基本的に同じ構成を備えたヘッド支持台１ａ及び１ｂ、フット支持台１１ａ及び１１ｂ、中間支持台２１ａ及び２１ｂ、並びに前半ボトムプレート３１ａ及び３１ｂ、後半ボトムプレート４１ａ及び４１ｂ、並びに各前半ボトムプレート固定手段及び各後半ボトムプレート固定手段からなる一対のベッドフレーム部材が幅方向に所要間隔をおいて並設されている。
【００４１】
なお、図１に示す実施例とは異なり、一対の前半ボトムプレート３１ａ及び３１ｂは、各々、幅方向外端縁にのみ凸条体３２を有し、一対の後半ボトムプレート４１ａ及び４１ｂも、各々、幅方向外端縁にのみ凸条体４２を有している。また、それらに応じて、一対のヘッド支持台１ａ及び１ｂの各スリット３は、各々外端にのみ拡張孔部６を有している。さらに、一対の中間支持台２１ａ及び２１ｂは、各々、幅方向外端縁にのみストッパ２４を有している。
【００４２】
並設された一対のベッドフレーム部材の間隙には、一対の前半ボトムプレート３１ａ及び３１ｂ並びに一対の後半ボトムプレート４１ａ及び４１ｂの各上面と実質的に同じ高さの上面を備えたブロック状の補助ボトム部材６１、６２及び６３（一点鎖線で示す）が適宜配置され、さらに一対のフット支持台１１ａ及び１１ｂの間隙には小型のサイドテーブルが設置されている。
【００４３】
前記のように組み立てられたベッドフレームＢＦをベッドに供するに際して、一対の前半ボトムプレート３１ａ及び３１ｂ並びに一対の後半ボトムプレート４１ａ及び４１ｂが補助ボトム部材６１、６２及び６３を介して複合一体化されたボトムプレート上面に、各々の幅方向外端縁に突設された凸条体３２、４２の間、及び一対のヘッド支持台１ａ及び１ｂの各ヘッドボード２と一対のフット支持台１１ａ及び１１ｂの各フットボード１２の間において所要のマットレス等（図示を省略する）が装着されることになる。
【００４４】
【発明の効果】
請求項１に記載の発明に係るベッドフレームは以上のように構成されるので、ベッド使用者の身長やマットレスの長さ等に応じて長さを自在に調節することができ、また各部材の組み合わせを変更することによりソファーフレームとして使用することも可能になる。
【００４５】
請求項２に記載の発明に係るベッドフレームでは、複合一体化された前半ボトムプレート及び後半ボトムプレート上に載置されたマットレス等が、両側の凸条体で挟まれて幅方向外側への変位を制限され、より安定に装着される。
【００４６】
請求項３に記載の発明に係るベッドフレームでは、前半ボトムプレートの長さ方向内端及び後半ボトムプレートの長さ方向内端が、中間支持台上においてストッパにより幅方向外側への変位を制限され、それによって、中間支持台への前半ボトムプレート及び後半ボトムプレートの組み付けが作業性よく、且つ確実に行われることになる。
【００４７】
請求項４に記載の発明に係るベッドフレームでは、一対のベッドフレーム部材の設置間隔を幅方向に調節することにより、長さのみならず、幅も調節することができ、また一対のヘッド支持台や一対のフット支持台の各間隙に、それらの幅に応じたサイドテーブルや照明具等を設置することができ、またそれらの間隙をベッド上への通路とすることも可能になる。
【００４８】
請求項５に記載の発明に係るベッドフレームでは、一対のベッドフレーム部材の間隙に設置された補助ボトム部材により、マットレス等を前記間隙部分でもより安定に支持させることができる。
【００４９】
請求項６に記載の発明に係るベッドフレームでは、間隙を介して複合一体化された各一対の前半ボトムプレート及び後半ボトムプレート上に載置されたマットレス等が、両側の凸条体で挟まれて幅方向外側への変位を制限され、より安定に装着される。
【００５０】
請求項７に記載の発明に係るベッドフレームでは、各ベッドフレーム部材において、前半ボトムプレートの長さ方向内端及び後半ボトムプレートの長さ方向内端が、中間支持台上において前記ストッパにより幅方向外側への変位を制限され、それによっいぇ、中間支持台への前半ボトムプレート及び後半ボトムプレートの組み付けが作業性よく、且つ確実に行われることになる。
【図面の簡単な説明】
【図１】本発明の実施例に係るベッドフレームの斜視図である。
【図２】図１に示すベッドフレームの中央縦断面図である。
【図３】（Ａ）、（Ｂ）及び（Ｃ）は図１に示すベッドフレームの各々ヘッド支持台、中間支持台及びフット支持台を通る横断面図である。
【図４】（Ａ）及び（Ｂ）は何れも本発明の別の実施例に係るベッドフレームにおける中間支持台付近の中央縦断面図である。
【図５】図１に示すベッドフレームの構成部材を用いて構成されたソファーフレームの斜視図である。
【図６】本発明のさらに別の実施例に係るベッドフレームの斜視図である。
【符号の説明】
ＢＦ  ベッドフレーム
１  ヘッド支持台
３  スリット
４  支持面
１１  フット支持台
１３  スリット
１４  支持面
２１  中間支持台
２２  支持面
２３  ネジ孔
３１  前半ボトムプレート
３３  ネジ孔
４１  後半ボトムプレート
４３  ネジ孔
５１〜５３  ボルト
【図１】
2004298530.tif 000003
【図２】
2004298530.tif 000004
【図３】
2004298530.tif 000005
【図４】
2004298530.tif 000006
【図５】
2004298530.tif 000007
【図６】
2004298530.tif 000008